(57)【要約】【課題】冷蔵室用冷却器と冷凍室用冷却器とを並列に設け、選択的に冷媒を供給するタイプの冷凍冷蔵庫を簡単な構成で実現することを目的とする。【解決手段】  本発明は、冷蔵室(2)を冷却し、ヘッダーを持たない冷蔵室用冷却器(10)と、冷凍室(3)を冷却し、上部にヘッダー(12)を備える冷凍室用冷却器(11)と、冷媒を前記冷蔵室用冷却器(10)のみと、前記冷凍室用冷却器(11)のみと、前記両冷却器(10,11)に選択的に供給する冷媒流路切替手段(7)と、前記冷凍室用冷却器(11)の下方に取り付けられる除霜用ヒータ(15)と、通常冷却運転時には、前記冷蔵室(2)及び前記冷凍室(3)の温度に応じて前記冷媒流路切替手段(7)を制御してどちらか一方の冷却器(10,11)に冷媒を供給するとともに、前記冷凍室用冷却器(11)の前記除霜ヒータ(15)による除霜運転終了直後には前記冷媒流路切替手段(7)を制御して両方の冷却器(10,11)に冷媒を供給する制御部とを備えることを特徴とする。【選択図】  図２
2006098002.tif 000002
【特許請求の範囲】
【請求項１】
冷蔵室(2)と、
冷凍室(3)と、
前記冷蔵室(2)を冷却し、ヘッダーを持たない冷蔵室用冷却器(10)と、
前記冷凍室(3)を冷却し、上部にヘッダー(12)を備える冷凍室用冷却器(11)と、
冷媒を前記冷蔵室用冷却器(10)のみと、前記冷凍室用冷却器(11)のみと、前記両冷却器(10,11)に選択的に供給する冷媒流路切替手段(7)と、
前記冷凍室用冷却器(11)の下方に取り付けられる除霜用ヒータ(15)と、
通常冷却運転時には、前記冷蔵室(2)及び前記冷凍室(3)の温度に応じて前記冷媒流路切替手段(7)を制御してどちらか一方の冷却器(10,11)に冷媒を供給するとともに、前記冷凍室用冷却器(11)の前記除霜ヒータ(15)による除霜運転終了直後には前記冷媒流路切替手段(7)を制御して両方の冷却器(10,11)に冷媒を供給する制御部とを備えることを特徴とする冷凍冷蔵庫。
【請求項２】
前記両冷却器(10,11)から圧縮機(4)までの冷媒流路中に逆止弁を設けないことを特徴とする請求項１に記載の冷凍冷蔵庫。
【発明の詳細な説明】
【技術分野】
【０００１】
本発明は、冷蔵室用冷却器と冷凍室用冷却器の２つの冷却器を並列に配置した冷凍冷蔵庫に関する。
【背景技術】
【０００２】
冷凍冷蔵庫には、２つの冷却器を備えたものがある。
【０００３】
この冷凍冷蔵庫は、冷蔵室用冷却器の後段に冷凍室用冷却器を設けると共に、この冷蔵室用冷却器を介さずに冷凍室用冷却器に冷媒を供給するバイパス路を設けている。（特許文献１参照）
また、この冷凍冷蔵庫とは異なる形式として、冷蔵室用冷却器と冷凍室用冷却器とを並列に設け、選択的に冷媒を供給するものもある。（特許文献２参照）
【特許文献１】特許第３４１０４０８号公報
【特許文献２】特開２００４−２１２０４６号公報
【発明の開示】
【発明が解決しようとする課題】
【０００４】
本発明は、後者のタイプの冷凍冷蔵庫を簡単な構成で実現することを目的とする。
【０００５】
つまり、冷媒を溜める液溜が1個で動作すれば良いが、これでは、この液溜を両冷却器からの冷媒流路が合流した後に設けなくてはならない。
【０００６】
本願は、液溜が１個で、且つ、冷媒流路の合流前でも良好に動作し、且つ、そのために新たな部品を新規開発する必要の無い冷凍冷蔵庫を提供するものである。
【課題を解決するための手段】
【０００７】
本発明は、冷蔵室(2)と、冷凍室(3)と、前記冷蔵室(2)を冷却し、ヘッダーを持たない冷蔵室用冷却器(10)と、前記冷凍室(3)を冷却し、上部にヘッダー(12)を備える冷凍室用冷却器(11)と、冷媒を前記冷蔵室用冷却器(10)のみと、前記冷凍室用冷却器(11)のみと、前記両冷却器(10,11)に選択的に供給する冷媒流路切替手段(7)と、前記冷凍室用冷却器(11)の下方に取り付けられる除霜用ヒータ(15)と、通常冷却運転時には、前記冷蔵室(2)及び前記冷凍室(3)の温度に応じて前記冷媒流路切替手段(7)を制御してどちらか一方の冷却器(10,11)に冷媒を供給するとともに、前記冷凍室用冷却器(11)の前記除霜ヒータ(15)による除霜運転終了直後には前記冷媒流路切替手段(7)を制御して両方の冷却器(10,11)に冷媒を供給する制御部とを備えることを特徴とする。
【０００８】
更に、この冷凍冷蔵庫の前記両冷却器(10,11)から圧縮機(4)までの冷媒流路中に逆止弁を設けないことを特徴とする。
【発明の効果】
【０００９】
本発明の請求項１記載の冷凍冷蔵庫によれば、従来からの一般的なヘッダー付き冷凍室用冷却器のヘッダーを冷凍サイクル中の唯一の液溜として利用できるので簡単な構成で冷凍冷蔵庫が実現できる。
【発明を実施するための最良の形態】
【００１０】
本発明の実施例を図１、図２を参照しつつ説明する。
【００１１】
図１は、実施例の冷凍室用冷却器(11)である。この冷却器(11)は従来から使用されている一般的な形状の冷却器であり、上部の冷媒路にはヘッダー(12)と呼ばれる液溜め(レシーバー、アキュムレータ)が取り付けられている。また、冷却器(11)の下部には、除霜用ガラス管ヒータ(15)が配置され、着霜時には、このヒータ(15)からの加熱により、冷却器(11)についた霜を溶かしている。
【００１２】
図２は、この実施例の冷凍冷蔵庫の概念図である。
【００１３】
この冷凍冷蔵庫(1)は、断熱箱体内に形成され、断熱仕切りで仕切られた冷凍室(3)と冷蔵室(2)を備えている。この冷凍冷蔵庫(1)の最下部には機械室が設けられ、圧縮機(4)、凝縮器(5)、凝縮器冷却用のファン(6)、三方切替弁(7)が設けられている。
【００１４】
冷蔵室(2)を冷やすために、キャピラリーチューブ(8)、冷蔵室用冷却器(10)、冷蔵室用ファン(13)が設けられている。尚、この冷却器(10)の除霜はサイクルデフロストにて行うのでヒータは設けていない。つまり、除霜時には、冷媒を流さずにファン(13)を回転させることにより、着霜により庫内空気を冷却し、同時に除霜を行っている。
【００１５】
冷凍室(3)を冷やすために、キャピラリーチューブ(9)、冷凍室用冷却器(11)、冷凍室用ファン(14)、ヘッダー(12)が設けられている。ヒータ(15)により、この冷凍室用冷却器(11)の除霜が行われる。
【００１６】
この冷凍冷蔵庫では、前記両冷却器(10,11)から圧縮機(4)までの冷媒流路中に逆止弁を設けていない。また、両冷却器(10,11)から圧縮機(4)までの冷媒流路中に設けた冷媒液溜めは、ヘッダー(12)のみである。
【００１７】
この冷凍冷蔵庫(1)を説明する。
【００１８】
冷却運転時に、圧縮機(4)が運転し、冷媒は圧縮されて、凝縮器(5)に供給される。ファン(6)は動作し、凝縮器(5)内の冷媒は冷却される。そして、冷媒は、冷媒流路切替手段である三方切替弁(7)に供給される。
【００１９】
三方切替弁(7)は制御部(図示せず)により制御され、その時に冷却が必要な側に冷媒を選択出力する。例えば、冷凍室(3)の温度は十分に冷却されているが、冷蔵室(2)の温度が上昇していた場合、制御部はこれを冷凍室温度センサー(図示せず)冷蔵室温度センサー(図示せず)からの検出温度により判定し、圧縮機(4)、ファン(6)、ファン(13)をＯＮするとともに、三方切替弁(7)を冷蔵室側に開く。
【００２０】
これにより、冷媒は冷蔵室側に流れ冷蔵室(2)を冷却する。冷蔵室(2)が所定温度まで冷却されると、制御部は冷却運転を止める。
【００２１】
制御部は、冷蔵室(2)の温度は十分に冷却されているが、冷凍室(3)の温度が上昇していた場合、制御部はこれを冷凍室温度センサー(図示せず)冷蔵室温度センサー(図示せず)からの検出温度により判定し、圧縮機(4)、ファン(6)、ファン(14)をＯＮするとともに、三方切替弁(7)を冷凍室側に開く。
【００２２】
これにより、冷媒は冷凍室側に流れ冷凍室(3)を冷却する。冷凍室(3)が所定温度まで冷却されると、制御部は冷却運転を止める。
【００２３】
また、制御部は、冷媒を冷凍室側に流した時間を積算し、この積算値が所定値になると冷凍室用冷却器(11)の除霜を行う。この除霜時、冷蔵室の冷却運転は行わない。制御部は、ヒータ(15)に通電して冷却器(11)を加熱する。この加熱により、除霜が行われる。
【００２４】
この除霜終了後には、通常、冷凍室用冷却器(11)及びヘッダー(12)内の冷媒は、ほとんど蒸発している。
【００２５】
そこで、本願実施例では、除霜終了直後の冷却運転においては、制御部は、圧縮機(4)、ファン(6)、ファン(13)、ファン(14)をＯＮするとともに、三方切替弁(7)の出口の両方を開として、冷媒を冷凍室側と冷蔵室側の両方に供給する。
【００２６】
つまり、除霜によって、圧縮機等に戻った冷媒が、両方の冷却器ではなく、一方のみに供給されると冷媒量過剰になり液バックが発生する怖れがある。そこで、本実施例では、除霜終了直後の冷却運転時には、両冷却器(10,11)に冷媒を供給して、余分な冷媒をヘッダー(12)及び両冷却器(10,11)に溜めるようにしている。
【００２７】
なお、上記実施例の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【図面の簡単な説明】
【００２８】
【図１】本発明の第１実施例の冷却器の斜視図である。
【図２】第１実施例の冷凍冷蔵庫の冷却動作を説明するための概念図である。
【符号の説明】
【００２９】
(1)冷凍冷蔵庫
(2)冷蔵室
(3)冷凍室
(4)圧縮機
(5)凝縮器
(6)凝縮器冷却用のファン
(7)三方切替弁(冷媒流路切替手段)
(8)キャピラリーチューブ
(9)キャピラリーチューブ
(10)冷蔵室用冷却器
(11)冷凍室用冷却器
(12)ヘッダー(液溜め、レシーバー、アキュムレータ)
(13)冷蔵室用ファン
(14)冷凍室用ファン
(15)除霜用ガラス管ヒータ
【図１】
2006098002.tif 000003
【図２】
2006098002.tif 000004